(57)【要約】【課題】親展文書であってもそのデータを画像形成装置内に保管せず，他人には判読できない様式で出力するとともに，必要に応じて文書の可読化や複製作成のできる画像形成装置を提供すること。【解決手段】本発明の画像形成装置１は，プリント内容情報を含む印刷指示を外部から受信し，受信した印刷指示に基づき画像形成エンジンにより印刷媒体上に画像を形成する画像形成装置であって，受信した印刷指示に基づき印刷媒体への記録内容を決定する記録内容決定手段と，受信した印刷指示がパスワードを含むか否かを判別する親展判別手段とを有している。さらに，記録内容決定手段は，受信した印刷指示がパスワードを含むと判別された場合には，印刷指示中の少なくともパスワードおよびプリント内容情報を印刷媒体のＩＣチップへの記録内容と決定する。【選択図】            図１
2005028673.tif 000002
【特許請求の範囲】
【請求項１】
プリント内容情報を含む印刷指示を外部から受信し，受信した印刷指示に基づき画像形成エンジンにより印刷媒体上に画像を形成する画像形成装置において，
受信した印刷指示に基づき印刷媒体への記録内容を決定する記録内容決定手段と，
受信した印刷指示がパスワードを含むか否かを判別する親展判別手段とを有し，
前記記録内容決定手段は，受信した印刷指示がパスワードを含むと判別された場合には，印刷指示中の少なくともパスワードおよびプリント内容情報を印刷媒体のＩＣチップへの記録内容と決定することを特徴とする画像形成装置。
【請求項２】
原稿の印刷面の画像を読み取って画像形成エンジンにより印刷媒体上にその画像を形成する画像形成装置において，
原稿のＩＣチップから情報を読み出す原稿情報読出手段と，
前記原稿情報読出手段により読み出された情報に基づき印刷媒体への記録内容を決定する記録内容決定手段と，
印刷に供する印刷媒体がＩＣチップ付きであるか否かを判別する印刷媒体判別手段とを有し，
前記記録内容決定手段は，原稿のＩＣチップから情報が読み出され，かつ，印刷に供する印刷媒体がＩＣチップ付きである場合には，
原稿のＩＣチップから読み出された情報を印刷媒体のＩＣチップへの記録内容と決定し，
原稿の印刷面から読み取った画像のみを印刷媒体の印刷面への可視的記録内容と決定することを特徴とする画像形成装置。
【請求項３】
請求項２に記載する画像形成装置において，
原稿のＩＣチップからパスワードを含む情報が読み出された場合にユーザにパスワードの入力を要求し，ユーザにより正しいパスワードが入力された場合に限り，印刷媒体への記録を許可するパスワード要求手段を有することを特徴とする画像形成装置。
【請求項４】
原稿の印刷面の画像を読み取って画像形成エンジンにより印刷媒体上にその画像を形成する画像形成装置において，
原稿のＩＣチップから情報を読み出す原稿情報読出手段と，
前記原稿情報読出手段により読み出された情報に基づき印刷媒体への記録内容を決定する記録内容決定手段と，
印刷に供する印刷媒体がＩＣチップ付きであるか否かを判別する印刷媒体判別手段と，
原稿のＩＣチップからパスワードを含む情報が読み出された場合にユーザにパスワードの入力を要求し，ユーザにより正しいパスワードが入力された場合に限り，印刷媒体への記録を許可するパスワード要求手段とを有し，
前記記録内容決定手段は，印刷に供する印刷媒体がＩＣチップ付きでない場合には，原稿のＩＣチップから読み出された情報に基づく画像と原稿の印刷面から読み取った画像とを印刷媒体の印刷面への可視的記録内容と決定することを特徴とする画像形成装置。
【請求項５】
画像形成エンジンにより印刷媒体上に画像を形成する画像形成装置において，
印刷媒体のＩＣチップから情報を読み出す原稿情報読出手段と，
印刷媒体のＩＣチップからパスワードを含む情報が読み出された場合にユーザにパスワードの入力を要求し，ユーザにより正しいパスワードが入力された場合に限り，印刷媒体の印刷面への記録を許可するパスワード要求手段と，
印刷媒体のＩＣチップから読み出された情報に基づく画像をその印刷媒体の印刷面への形成画像と決定する記録内容決定手段とを有することを特徴とする画像形成装置。
【発明の詳細な説明】
【０００１】
【発明の属する技術分野】
本発明は，コピー機，プリンタ等の画像形成装置に関する。さらに詳細には，親展文書を印刷する機能を有する画像形成装置に関するものである。
【０００２】
【従来の技術】
従来より，複数のユーザで共有するプリンタで個人的な秘密文書を印刷するための，親展印刷機能を有するプリンタがある。一般にこのようなプリンタでは，親展印刷コマンドが添付された画像データを受信したときには，その画像をすぐには印刷せずに記憶しておく。そして，プリンタの入力キーから該当するパスワードが入力されると，記憶していた画像データを印刷して出力するのである。すなわち，ユーザは，親展印刷コマンドを添付した画像データをプリンタに出力しておき，プリンタの周囲に他人がいないときにパスワードを入力すればよい。これにより，他人に見られることなく親展印刷を得ることができる。
【０００３】
これに対し，遠方へ秘密文書を送付するためには，例えば親展機能を有するファクシミリが利用できる。この場合送信者は，予め受信者との間で取り決めておいた親展ＩＤを添付してファクシミリ送信を行う。受信側ファクシミリ装置では，受信した画像データをすぐに印刷せず，装置内に記憶しておく。そして，入力キーからその親展ＩＤが入力されて初めて受信した画像データを出力する。さらには，受信者が別の場所に移動した場合には，その転送先を登録しておくことにより，その受信者の親展ＩＤ付きの画像データが自動的に転送されるファクシミリ装置も提案されている（例えば，特許文献１参照。）。
【０００４】
【特許文献１】
特開２００２−１３５６０１号公報（第６−７頁）
【０００５】
【発明が解決しようとする課題】
しかしながら，前記した従来の画像形成装置では，親展文書の画像データはすぐには出力されず，一旦画像形成装置内に保管される。そのため，保管されている親展文書の数が多くなったり，あるいは，データ量の大きい親展文書が含まれる場合等ではメモリの使用量が多くなってしまう。場合によっては，記憶容量の残量不足から新たな画像データを受信できなくなるおそれもある。また，データが全て画像形成装置内に保管されていると，受信者がファクシミリ受信があったことに気づかない場合もあり，親展文書を送信したことを別手段で受信者に知らせる必要が生じるという問題点があった。
【０００６】
本発明は，前記した従来の画像形成装置が有する問題点を解決するためになされたものである。すなわちその課題とするところは，親展文書であってもそのデータを画像形成装置内に保管せず，他人には判読できない様式で出力するとともに，必要に応じて文書の可読化や複製作成のできる画像形成装置を提供することにある。
【０００７】
【課題を解決するための手段】
この課題の解決を目的としてなされた本発明の画像形成装置は，プリント内容情報を含む印刷指示を外部から受信し，受信した印刷指示に基づき画像形成エンジンにより印刷媒体上に画像を形成する画像形成装置であって，受信した印刷指示に基づき印刷媒体への記録内容を決定する記録内容決定手段と，受信した印刷指示がパスワードを含むか否かを判別する親展判別手段とを有し，記録内容決定手段は，受信した印刷指示がパスワードを含むと判別された場合には，印刷指示中の少なくともパスワードおよびプリント内容情報を印刷媒体のＩＣチップへの記録内容と決定するものである。
【０００８】
本発明の画像形成装置では，受信した印刷指示に基づいて画像形成エンジンにより印刷媒体上に画像を形成するに際し，受信した印刷指示がパスワードを含むかどうかが親展判別手段によって判別される。すなわち，その受信した印刷指示が親展文書であるかどうかが判断されるのである。受信した印刷指示がパスワードを含む親展文書の印刷指示である場合には，記録内容決定手段によって，そのパスワードとプリント内容情報とは印刷媒体のＩＣチップへの記録内容と決定される。このことから，少なくともパスワードやプリント内容情報という，他人に見られたくない内容は印刷媒体の印刷面に可視的に印刷されることがない。そして，ＩＣチップに記録されて出力されるので，画像形成装置内にデータを保管する必要はない。従って，親展文書であってもそのデータを画像形成装置内に保管せず，他人には判読できない様式で出力するものとなっている。
【０００９】
さらに本発明では，印刷指示にヘッダ情報が含まれる場合に，記録内容決定手段は，受信した印刷指示がパスワードを含むと判別された場合には，印刷指示中のヘッダ情報のみを，印刷媒体の印刷面への可視的記録内容と決定することが望ましい。
このようにすれば，親展文書であっても，ヘッダ情報のみは印刷媒体の印刷面に可視的に記録されるので，その印刷媒体が少なくとも白紙とは区別される。ヘッダ情報として，例えば文書の所有者名や受信日時等としておけば，その印刷媒体についての処理の助けとなる。
【００１０】
さらに本発明では，受信した印刷指示がパスワードを含むと判別された場合に，ＩＣチップ付きの印刷媒体を選択して記録に供する印刷媒体選択手段を有することが望ましい。
このようにすれば，画像形成装置にＩＣチップ付きの印刷媒体と普通紙とがともに給紙可能なようにされていた場合に，親展文書の印刷にはＩＣチップ付きの印刷媒体が選択される。これにより，親展文書のパスワードやプリント内容はＩＣチップへ記録されることができる。
【００１１】
さらに本発明では，受信した印刷指示がパスワードを含むと判別され，かつ，ＩＣチップ付きの印刷媒体を有していない場合に，ＩＣチップ付きの印刷媒体の挿入をユーザに促すＩＣチップ付き媒体要求手段を有することが望ましい。
このようにすれば，画像形成装置にＩＣチップ付きの印刷媒体が用意されていなかった場合にも対処できる。
【００１２】
また，本発明の画像形成装置は，原稿の印刷面の画像を読み取って画像形成エンジンにより印刷媒体上にその画像を形成する画像形成装置であって，原稿のＩＣチップから情報を読み出す原稿情報読出手段と，原稿情報読出手段により読み出された情報に基づき印刷媒体への記録内容を決定する記録内容決定手段と，印刷に供する印刷媒体がＩＣチップ付きであるか否かを判別する印刷媒体判別手段とを有し，記録内容決定手段は，原稿のＩＣチップから情報が読み出され，かつ，印刷に供する印刷媒体がＩＣチップ付きである場合には，原稿のＩＣチップから読み出された情報を印刷媒体のＩＣチップへの記録内容と決定し，原稿の印刷面から読み取った画像のみを印刷媒体の印刷面への可視的記録内容と決定するものであってもよい。
【００１３】
本発明の画像形成装置では，原稿がＩＣチップ付き印刷媒体であれば，原稿読出手段によってＩＣチップの情報が読み出される。さらに印刷に供する印刷媒体がＩＣチップ付きであれば，記録内容決定手段によって，原稿のＩＣチップから読み出された情報は印刷媒体のＩＣチップへの記録内容と決定される。すなわち，原稿において他人に判読できない様式で出力されているものは，その複製においても同様に他人に判読できない様式で出力される。従って，このような画像形成装置であれば，原稿が親展文書である場合には，親展文書としてＩＣチップ付きの印刷媒体に複製作成することができる。例えば，他のユーザとその親展文書を共有する場合に便利である。
【００１４】
さらに本発明では，原稿のＩＣチップからパスワードを含む情報が読み出された場合にユーザにパスワードの入力を要求し，ユーザにより正しいパスワードが入力された場合に限り，印刷媒体への記録を許可するパスワード要求手段を有することが望ましい。
このようにすれば，複製作成しようとするユーザがその親展文書の正当な所有者であることが確認できる。
【００１５】
さらに本発明では，記録内容決定手段は，印刷媒体のＩＣチップへの記録内容に，複製履歴の情報を付加することが望ましい。
このようにすれば，同じような体裁であっても，原稿とその複製とを区別できる。
【００１６】
また，本発明の画像形成装置は，原稿の印刷面の画像を読み取って画像形成エンジンにより印刷媒体上にその画像を形成する画像形成装置であって，原稿のＩＣチップから情報を読み出す原稿情報読出手段と，原稿情報読出手段により読み出された情報に基づき印刷媒体への記録内容を決定する記録内容決定手段と，印刷に供する印刷媒体がＩＣチップ付きであるか否かを判別する印刷媒体判別手段と，原稿のＩＣチップからパスワードを含む情報が読み出された場合にユーザにパスワードの入力を要求し，ユーザにより正しいパスワードが入力された場合に限り，印刷媒体への記録を許可するパスワード要求手段とを有し，記録内容決定手段は，印刷に供する印刷媒体がＩＣチップ付きでない場合には，原稿のＩＣチップから読み出された情報に基づく画像と原稿の印刷面から読み取った画像とを印刷媒体の印刷面への可視的記録内容と決定するものであってもよい。
【００１７】
本発明の画像形成装置では，原稿がＩＣチップ付き印刷媒体であれば，原稿読出手段によってＩＣチップの情報が読み出される。さらに印刷に供する印刷媒体がＩＣチップ付きでない場合は，記録内容決定手段によって，原稿のＩＣチップから読み出された情報は原稿の印刷面から読み取られた画像とともに印刷媒体の印刷面への可視的記録内容と決定される。このとき，パスワード要求手段によって，ユーザに原稿のＩＣチップに含まれるパスワードの入力が要求される。これにより，印刷しようとする親展文書の正当な所有者であることが確認されるので，他人によって勝手に判読されることはない。従って，このような画像形成装置であれば，必要に応じて親展文書の複製作成ができる。例えば，パスワードを共有しない他のユーザに親展文書を配布する場合に便利である。
【００１８】
さらに本発明では，記録内容決定手段は，原稿のＩＣチップからパスワードを含む情報が読み出され，かつ，印刷に供する印刷媒体がＩＣチップ付きでない場合には，印刷媒体の印刷面への可視的記録内容に，親展である旨を示す画像を付加することが望ましい。
このようにすれば，親展文書の複製を受け取ったユーザに対して，その取扱についての注意を促すことができる。さらに，親展である旨を示す画像として，一般のコピー作成を阻害する情報を加えれば，孫コピーを作成されることの防止となる。
【００１９】
さらに，本発明の画像形成装置は，画像形成エンジンにより印刷媒体上に画像を形成する画像形成装置であって，印刷媒体のＩＣチップから情報を読み出す原稿情報読出手段と，印刷媒体のＩＣチップからパスワードを含む情報が読み出された場合にユーザにパスワードの入力を要求し，ユーザにより正しいパスワードが入力された場合に限り，印刷媒体の印刷面への記録を許可するパスワード要求手段と，印刷媒体のＩＣチップから読み出された情報に基づく画像をその印刷媒体の印刷面への形成画像と決定する記録内容決定手段とを有するものであってもよい。
【００２０】
本発明の画像形成装置では，原稿読出手段によって印刷媒体のＩＣチップから情報が読み出される。また，パスワード要求手段によって，ユーザにパスワードの入力が要求される。これによって，その親展文書（印刷媒体）の正当な所有者であることが確認された場合，印刷媒体のＩＣチップから読み出された情報に基づく画像がその印刷媒体の印刷面への形成画像と決定される。すなわち，ＩＣチップに保管されていた内容が可視的記録内容としてその印刷媒体に形成される。従って，このような画像形成装置であれば，必要に応じて親展文書の内容を可視的に印刷させることができる。例えば，親展文書の所有者が，その内容を確認したい場合に便利である。
【００２１】
さらに本発明では，記録内容決定手段により決定された形成画像がその印刷媒体の印刷面に収まらない場合には，残りの画像を他の印刷媒体の印刷面に形成することが望ましい。
このようにすれば，親展文書の全体を見やすい状態で得ることができる。
【００２２】
さらに本発明では，記録内容決定手段は，各印刷媒体の印刷面への形成画像に，親展である旨を示す画像を付加することが望ましい。
このようにすれば，親展文書の所有者に対して，その取扱についての注意を促すことができる。親展である旨を示す画像として，一般のコピー作成を阻害する情報を加えれば，複製を作成されることの防止となる。
【００２３】
【発明の実施の形態】
以下，本発明を具体化した実施の形態について，添付図面を参照しつつ詳細に説明する。本実施の形態は，コピー機，プリンタおよびファクシミリ機としての機能を併せ持つ画像形成装置（多機能プリンタ）に本発明を適用したものである。
【００２４】
本実施の形態の画像形成装置１は，その概略構成を図１に示すように，上部には原稿台１１が設けられ，カバー１２，操作パネル１３を有している。また，原稿台１１の下方には，印刷済み用紙が排出される排紙トレイ１４が設けられている。さらにその下方には，給紙カセット１５および増設カセット１６が設けられ，それぞれの内部には画像出力用の用紙がセットされている。ここでは，給紙カセット１５にＩＣチップ付き用紙３１が，増設カセット１６には普通紙３２がセットされているものとする。ＩＣチップ付き用紙３１は，電子的に読み書き可能な記憶媒体であるＩＣチップ３３を用紙の片隅に取り付けたものである（図３参照）。その取り付け方としては，用紙にＩＣチップ３３を貼り付けたものや用紙にＩＣチップ３３を漉き込んだもの等がある。また，画像形成装置１の原稿台１１の内部および排紙トレイ１４の側方には用紙のＩＣチップ３３との通信が可能なリーダ／ライタ１７，１８も設けられている。このリーダ／ライタ１７，１８が原稿情報読出手段あるいは印刷媒体判別手段に相当する。
【００２５】
さらに，画像形成装置１には，図２の断面図に示すように，図中右方に手差しトレイ１９が設けられている。また，内部の中央部には，画像形成装置１の画像形成のための主要部分であるイメージングユニット２１が設けられている。用紙は，給紙カセット１５または増設カセット１６，手差しトレイ１９から給紙されて，図中上方へ搬送され，排紙トレイ１４に排紙される。その途中，イメージングユニット２１を通過することにより，用紙にトナー像が形成される。さらに，イメージングユニット２１から用紙搬送方向の下流（図中上方）には定着ユニット２２が，上流（図中下方）にはタイミングローラ２３がそれぞれ設けられている。タイミングローラ２３は，用紙の先端をここに合わせて一旦停止させ，用紙と画像の先端を合わせるためのものである。
【００２６】
さらに，画像形成装置１はその内部に，イメージングユニット２１等の画像形成エンジンやリーダ／ライタ１７，１８，操作パネル１３等の各部の動作を制御するコントローラ２４も有している。このコントローラ２４によって，以下に述べるように，印刷媒体である用紙への記録内容や記録配置が決定される。すなわち，コントローラ２４が記録内容決定手段として機能する。
【００２７】
次に，本実施の形態の画像形成装置１の動作について説明する。画像形成装置１には，プリント機能，ファクシミリ機能，コピー機能等があるが，ファクシミリによって画像データを受信した場合の動作とプリントデータを受信した場合の動作とはほぼ同様であるので，ここではまとめて印刷動作として説明する。また，この画像形成装置１の特徴は，親展文書を受信・出力するときの動作にある。一般文書の印刷やファクシミリ受信については，従来より使用されている一般の画像形成装置と同様であるので説明を省略する。また，一般文書あるいは親展文書のファクシミリ送信に関しても，従来と同様であり説明を省略する。
【００２８】
すなわち，ここでの印刷動作とは，図４に示すように，ＰＣ３４や他のファクシミリ装置から親展文書のデータを受信した場合の動作のことである。親展文書のデータには，本文である画像データに加え，親展文書であることを示すコマンドと読み出すためのパスワードが付加されている。これらのデータから，画像形成装置１のコントローラ２４において，受信した文書が親展文書であると判断される。このとき，コントローラ２４が親展判断手段として機能する。さらに，本文とは別にレターヘッドの画像データが添付される。このレターヘッドは，その文書の所有者名や印刷日時等の他人に見られてもかまわない情報である。
【００２９】
この親展文書を受信すると，画像形成装置１は，ＩＣチップ付き用紙３１をまずタイミングローラ２３まで給紙する。ここで，リーダ／ライタ１８によってＩＣチップ付き用紙３１であることを確認する。そして，ＩＣチップ付き用紙３１のＩＣチップ３３に，リーダ／ライタ１８によって本文データおよび文書ＩＤ，パスワード，余白情報等の情報を書き込む。文書ＩＤは，コントローラ２４によってシリアルに付けられる番号である。また，余白情報は，レターヘッドを印刷した後に残る余白の量を示す情報である。続いて，イメージングユニット２１でレターヘッドのトナー像を形成して，定着ユニット２２で定着する。そして第１親展文書４１として排紙トレイ１４に排紙する。その結果，図４中右側に示すような第１親展文書４１が出力される。
【００３０】
あるいは，親展文書を受信したとき，給紙カセット１５または増設カセット１６にＩＣチップ付き用紙３１がセットされていなかった場合には，ＩＣチップ付き用紙３１をセットするように操作パネル１３に警告表示する。選択されているカセットから給紙した用紙がＩＣチップ付き用紙３１でなかったり，ＩＣチップ３３に既に情報が書き込まれている等の場合も同様である。さらに，周囲のユーザに注意を促すために警告音を発してもよい。
【００３１】
第１親展文書４１は，図４に示すように，その表面にはレターヘッドが印刷され，ＩＣチップ３３に本文の画像データおよび文書ＩＤ，パスワード，余白情報が書き込まれている。つまり，第１親展文書４１で可読的に印刷されるのはレターヘッドのみであり，これによって出力された用紙が誰の文書であるかがわかり，内容は分からないようにしている。多数のユーザが使用する画像形成装置１では，出力文書が行方不明にならないためにもレターヘッドは重要である。レターヘッドの内容は，文書作成者が作成する。自分の文書をプリントする場合は，例えば，作成者名と表題のみでもよい。あるいは，ファクシミリ文書の場合は受信者名（宛先）と送信者名および日付，件名等が含まれたレターヘッドを添付することが好ましい。あるいは，送付状付きのファクシミリ文書の場合は，送付状部分をレターヘッドとしてもよい。
【００３２】
画像形成装置１では，親展文書のデータを受信した場合に，この第１親展文書４１として出力することで，画像形成装置１内に画像データを保存する必要はない。秘密である本文画像データは，ＩＣチップ３３内に保存されるので，そのままでは他人に見られるおそれはない。また，第１親展文書４１には可読的にレターヘッドが印刷されているので，文書をその所有者に届けたり，また，所有者が文書を分類保管する場合に有用である。
【００３３】
次に，コピー動作について説明する。ここでのコピー動作とは，図５に示すように，第１親展文書４１を原稿としてコピーを作成する動作である。この動作では，ユーザは第１親展文書４１を原稿台１１に置き，操作パネル１３のコピーボタンを押す。画像形成装置１のコントローラ２４は，リーダ／ライタ１７によって第１親展文書４１のＩＣチップ３３の内容を読み出すことにより，その原稿が第１親展文書４１であることを認識できる。そして，ユーザにパスワードの入力を要求する。このとき，コントローラ２４がパスワード要求手段として機能する。ユーザによって操作パネル１３から入力されたパスワードが，第１親展文書４１のＩＣチップ３３に記憶されているものと一致したら，画像形成装置１は，第１親展文書４１の印刷画像（レターヘッド）をスキャナーで読み取る。
【００３４】
次に，コントローラ２４は，出力用紙として選択されている用紙がＩＣチップ付き用紙３１であるかどうかを判断する。選択されているカセットや手差しトレイ１９から１枚の用紙をタイミングローラ２３まで給紙して，リーダ／ライタ１８でその用紙がＩＣチップ付き用紙３１かどうかを判断するのである。そして，出力用紙としてＩＣチップ付き用紙３１が選択されている場合は，図６に示すような第２親展文書４２を作成する。第２親展文書４２は，外見的には第１親展文書４１と同様であり，その表面には第１親展文書４１のレターヘッドがコピーされて印刷されている。第２親展文書４２のＩＣチップ３３には，第１親展文書４１のＩＣチップ３３の情報に加えて，その文書が複製であることを示す情報が書き込まれる。図６の例では，オリジナルの文書ＩＤに複製コードが追加され，複製日，複製Ｎｏ．のデータも加えられている。
【００３５】
あるいは，出力用紙として普通紙３２が選択されている場合は，図７に示すような第３親展文書４３を作成する。この場合，第１親展文書４１のＩＣチップ３３の内容も可読的に印刷する。そこで，レターヘッドのコピーに続いてＩＣチップ３３の内容を印刷する。さらに，この文書が親展文書であり，その複製であることを明示するために，スタンプマーク４４が重ねて印刷されるとよい。スタンプマーク４４の内容は，この図では「ＣＯＮＦＩＤＥＮＴＩＡＬ」の文字，文書ＩＤ，複製日，複製Ｎｏ．となっている。
【００３６】
さらに，その他の動作として，可読化印刷動作がある。これは，第１親展文書４１の所有者がそのＩＣチップ３３の内容を可読的に印刷させるものである。コピー動作とは異なり，図８に示すように，第１親展文書４１そのものの余白に印刷する。この場合，ユーザは第１親展文書４１を手差しトレイ１９から挿入してコピーボタンを押す。画像形成装置１は，原稿台１１に原稿がない状態でコピーボタンが押された場合，手差しトレイ１９から原稿が挿入されていると判断する。そして，手差しトレイ１９から先頭の１枚をタイミングローラ２３まで給紙する。
【００３７】
さらに，画像形成装置１は，リーダ／ライタ１８によって，タイミングローラ２３で一旦停止された第１親展文書４１のＩＣチップ３３の内容を読み出すことにより，この用紙が第１親展文書４１であることを認識できる。そこで，ユーザにパスワードの入力を要求する。ユーザが操作パネル１３から入力したパスワードが第１親展文書４１のＩＣチップ３３に記憶されているものと一致したら，印刷済みのレターヘッドの余白にＩＣチップ３３の内容を印刷する。この場合，ＩＣチップ３３の内容を書き換えることはなく，複製ではないのでスタンプマーク４４を印刷する必要はない。親展文書であることを明示したい場合には，親展文書のオリジナルであることを示すスタンプマーク４４を印刷させてもよい。また，余白に印刷しきれない場合は，増設カセット１６から普通紙３２を給紙して続きを印刷してもよい。あるいは，ＩＣチップ３３の内容量と余白情報とから，余白に入るように文書を縮小して印刷してもよい。
【００３８】
次に，これらの動作時の画像形成装置１における処理を図９〜図１１のフローチャートに基づいて説明する。まず，動作開始されると画像形成装置１は，図９に示すように，印刷データを受信するか（Ｓ１０１），あるいはコピーボタンが操作される（Ｓ１０３）まで待機する。パソコンからの印刷指示やファクシミリ受信等によって印刷データを受信した場合は（Ｓ１０１：Ｙｅｓ），印刷処理を行う（Ｓ１０２）。また，ユーザによってコピーボタンが操作された場合は（Ｓ１０３：Ｙｅｓ），コピー処理を行う（Ｓ１０４）。
【００３９】
次に，図９のＳ１０２で実行される印刷処理について図１０に基づいて説明する。画像形成装置１は，印刷データを受信すると，その印刷データが親展印刷であるかどうかを判断する（Ｓ２０１）。親展印刷であれば（Ｓ２０１：Ｙｅｓ），給紙カセット１５からＩＣチップ付き用紙３１を給紙し，リーダ／ライタ１８によってＩＣチップ３３に本文データ等を書き込む（Ｓ２０２）。さらに，イメージングユニット２１等でレターヘッドを印刷する（Ｓ２０３）。これにより，第１親展文書４１が作成される。あるいは，親展印刷でない場合は（Ｓ２０１：Ｎｏ），増設カセット１６から普通紙３２を給紙し，通常の印刷を行う（Ｓ２０４）。いずれの場合も，印刷済みの用紙を排紙してこの処理を終了する。
【００４０】
次に，図９のＳ１０４で実行されるコピー処理について図１１に基づいて説明する。コピーボタンを操作された際に，まず，原稿台１１に原稿が置かれているかどうかを判断する（Ｓ３０１）。原稿が置かれていれば（Ｓ３０１：Ｙｅｓ），その原稿がＩＣチップ付き用紙３１に印刷されたものかどうかを判断する（Ｓ３０２）。ＩＣチップ付き用紙３１でなければ（Ｓ３０１：Ｎｏ），通常のコピー処理を行って（Ｓ３０３），この処理を終了する。
【００４１】
原稿がＩＣチップ付き用紙３１であれば（Ｓ３０２：Ｙｅｓ），まずＩＣチップ３３の内容をリーダ／ライタ１７で読み出す。そして，パスワードの入力を促し，正しいパスワードが入力されるまで待機する（Ｓ３０４）。パスワードが入力されたら（Ｓ３０４：Ｙｅｓ），出力用紙としてＩＣチップ付き用紙３１が選択されているかどうかを判断する（Ｓ３０５）。
【００４２】
ＩＣチップ付き用紙３１が選択されている場合は（Ｓ３０５：Ｙｅｓ），給紙カセット１５からタイミングローラ２３までＩＣチップ付き用紙３１を給紙する。その位置で，リーダ／ライタ１８によって，用紙のＩＣチップ３３に原稿のＩＣチップ３３の内容に複製コードを加えて書き込む（Ｓ３０６）。さらに，レターヘッドをコピーして（Ｓ３０７），終了する。これにより，第２親展文書４２が作成される。
【００４３】
あるいは，普通紙３２が選択されている場合は（Ｓ３０５：Ｎｏ），増設カセット１６から給紙して，スタンプマーク４４付きのコピー画像を形成し（Ｓ３０８），終了する。これにより，第３親展文書４３が作成される。
【００４４】
あるいは，原稿台１１に原稿がない場合は（Ｓ３０１：Ｎｏ），手差しトレイ１９に手差し原稿があるかどうかを判断する（Ｓ３０９）。手差し原稿もなければ（Ｓ３０９：Ｎｏ），何もせずに終了する。手差し原稿がある場合は（Ｓ３０９：Ｙｅｓ），その原稿がＩＣチップ付き用紙３１に印刷されたものかどうかを判断する（Ｓ３１０）。ＩＣチップ付き用紙３１に印刷されたものでなければ（Ｓ３１０：Ｎｏ），原稿として扱うことはできないので，このまま終了する。
【００４５】
手差し原稿がＩＣチップ付き用紙３１に印刷されたものであれば（Ｓ３１０：Ｙｅｓ），ＩＣチップ３３の内容をリーダ／ライタ１８で読み出す。そして，パスワードの入力を促し，正しいパスワードが入力されるまで待機する（Ｓ３１１）。パスワードが入力されたら（Ｓ３１１：Ｙｅｓ），その手差し原稿の余白に，ＩＣチップ３３のデータを印刷して（Ｓ３１２），終了する。これにより，可読化された第１親展文書４１が作成される。
【００４６】
以上詳細に説明したように，本実施の形態の画像形成装置１によれば，受信した印刷指示が親展文書であった場合には，ＩＣチップ付き用紙３１に第１親展文書４１として出力される。この第１親展文書４１では，可読的に印刷されるのはレターヘッドだけであり，パスワードとプリント内容情報とはＩＣチップ３３に記録されるので，他人にその内容を知られることはない。そして，第１親展文書４１を複製作成したり可読化するには，ＩＣチップ３３に含まれているパスワードの入力が要求されるので，他人に勝手に可読化されることはない。また，第１親展文書４１を複製作成するに際し，ＩＣチップ付き用紙３１に出力する場合は，ＩＣチップ３３のデータに複製であることを示すための複製コード等が付加される。普通紙３２に出力する場合は，複製であることを明示するためにスタンプマーク４４が付加される。さらに，第１親展文書４１を可読化するときは，第１親展文書４１を手差し原稿として第１親展文書４１の余白に本文データが印刷される。従って，親展文書であってもそのデータを画像形成装置１内に保管せず，他人には判読できない様式で出力するとともに，必要に応じて文書の可読化や複製作成のできる画像形成装置１となっている。
【００４７】
なお，本実施の形態は単なる例示にすぎず，本発明を何ら限定するものではない。したがって本発明は当然に，その要旨を逸脱しない範囲内で種々の改良，変形が可能である。
例えば，本実施の形態で例示した複製を表すための付加データの形式やスタンプマーク４４の構成等はこれに限らない。
また例えば，本実施の形態では給紙カセット１５にＩＣチップ付き用紙３１，増設カセット１６に普通紙３２と区別して給紙したが，カセットが１つの画像形成装置１では，ユーザがセットする用紙を交換すればよい。この場合，タイミングローラ２３まで給紙したところで，リーダ／ライタ１８によってＩＣチップ付き用紙３１かどうかを判断する。
また例えば，リーダ／ライタ１７，１８の配置はこれに限るものではない。原稿台１１に載せられたＩＣチップ付き用紙３１や，給紙カセット１５等から給紙されたＩＣチップ付き用紙３１等のＩＣチップ３３に対して読み書きできるように配置されていればよい。
また例えば，ＩＣチップ３３の内容からその文書が複製であることが判断された場合は，パスワードが一致しても複製の作成を許可しないようにしてもよい。
また，画像形成装置１のイメージングユニット２１の構成はどのようなものでもよく，モノクロ機でもカラー機でもかまわない。
【００４８】
上記具体的実施の形態には，以下の構成を有する発明が含まれている。
（付記１）  プリント内容情報を含む印刷指示を外部から受信し，受信した印刷指示に基づき画像形成エンジンにより印刷媒体上に画像を形成する画像形成装置において，
受信した印刷指示に基づき印刷媒体への記録内容を決定する記録内容決定手段と，
受信した印刷指示がパスワードを含むか否かを判別する親展判別手段とを有し，
前記記録内容決定手段は，受信した印刷指示がパスワードを含むと判別された場合には，印刷指示中の少なくともパスワードおよびプリント内容情報を印刷媒体のＩＣチップへの記録内容と決定することを特徴とする画像形成装置。
（付記２）  付記１に記載する画像形成装置において，
印刷指示にヘッダ情報が含まれる場合に，
前記記録内容決定手段は，受信した印刷指示がパスワードを含むと判別された場合には，印刷指示中のヘッダ情報のみを，印刷媒体の印刷面への可視的記録内容と決定することを特徴とする画像形成装置。
（付記３）  付記１または付記２に記載する画像形成装置において，
受信した印刷指示がパスワードを含むと判別された場合に，ＩＣチップ付きの印刷媒体を選択して記録に供する印刷媒体選択手段を有することを特徴とする画像形成装置。
（付記４）  付記３に記載する画像形成装置において，
受信した印刷指示がパスワードを含むと判別され，かつ，ＩＣチップ付きの印刷媒体を有していない場合に，ＩＣチップ付きの印刷媒体の挿入をユーザに促すＩＣチップ付き媒体要求手段を有することを特徴とする画像形成装置。
（付記５）  原稿の印刷面の画像を読み取って画像形成エンジンにより印刷媒体上にその画像を形成する画像形成装置において，
原稿のＩＣチップから情報を読み出す原稿情報読出手段と，
前記原稿情報読出手段により読み出された情報に基づき印刷媒体への記録内容を決定する記録内容決定手段と，
印刷に供する印刷媒体がＩＣチップ付きであるか否かを判別する印刷媒体判別手段とを有し，
前記記録内容決定手段は，原稿のＩＣチップから情報が読み出され，かつ，印刷に供する印刷媒体がＩＣチップ付きである場合には，
原稿のＩＣチップから読み出された情報を印刷媒体のＩＣチップへの記録内容と決定し，
原稿の印刷面から読み取った画像のみを印刷媒体の印刷面への可視的記録内容と決定することを特徴とする画像形成装置。
（付記６）  付記５に記載する画像形成装置において，
原稿のＩＣチップからパスワードを含む情報が読み出された場合にユーザにパスワードの入力を要求し，ユーザにより正しいパスワードが入力された場合に限り，印刷媒体への記録を許可するパスワード要求手段を有することを特徴とする画像形成装置。
（付記７）  付記５または付記６に記載する画像形成装置において，
前記記録内容決定手段は，印刷媒体のＩＣチップへの記録内容に，複製履歴の情報を付加することを特徴とする画像形成装置。
（付記８）  原稿の印刷面の画像を読み取って画像形成エンジンにより印刷媒体上にその画像を形成する画像形成装置において，
原稿のＩＣチップから情報を読み出す原稿情報読出手段と，
前記原稿情報読出手段により読み出された情報に基づき印刷媒体への記録内容を決定する記録内容決定手段と，
印刷に供する印刷媒体がＩＣチップ付きであるか否かを判別する印刷媒体判別手段と，
原稿のＩＣチップからパスワードを含む情報が読み出された場合にユーザにパスワードの入力を要求し，ユーザにより正しいパスワードが入力された場合に限り，印刷媒体への記録を許可するパスワード要求手段とを有し，
前記記録内容決定手段は，印刷に供する印刷媒体がＩＣチップ付きでない場合には，原稿のＩＣチップから読み出された情報に基づく画像と原稿の印刷面から読み取った画像とを印刷媒体の印刷面への可視的記録内容と決定することを特徴とする画像形成装置。
（付記９）  付記８に記載する画像形成装置において，
前記記録内容決定手段は，原稿のＩＣチップからパスワードを含む情報が読み出され，かつ，印刷に供する印刷媒体がＩＣチップ付きでない場合には，
印刷媒体の印刷面への可視的記録内容に，親展である旨を示す画像を付加することを特徴とする画像形成装置。
（付記１０）  画像形成エンジンにより印刷媒体上に画像を形成する画像形成装置において，
印刷媒体のＩＣチップから情報を読み出す原稿情報読出手段と，
印刷媒体のＩＣチップからパスワードを含む情報が読み出された場合にユーザにパスワードの入力を要求し，ユーザにより正しいパスワードが入力された場合に限り，印刷媒体の印刷面への記録を許可するパスワード要求手段と，
印刷媒体のＩＣチップから読み出された情報に基づく画像をその印刷媒体の印刷面への形成画像と決定する記録内容決定手段とを有することを特徴とする画像形成装置。
（付記１１）  付記１０に記載する画像形成装置において，
前記記録内容決定手段により決定された形成画像がその印刷媒体の印刷面に収まらない場合には，残りの画像を他の印刷媒体の印刷面に形成することを特徴とする画像形成装置。
（付記１２）  付記１０または付記１１に記載する画像形成装置において，
前記記録内容決定手段は，各印刷媒体の印刷面への形成画像に，親展である旨を示す画像を付加することを特徴とする画像形成装置。
【００４９】
【発明の効果】
以上の説明から明らかなように本発明によれば，親展文書であってもそのデータを画像形成装置内に保管せず，他人には判読できない様式で出力するとともに，必要に応じて文書の可読化や複製作成のできる画像形成装置が提供されている。
【図面の簡単な説明】
【図１】本実施の形態の画像形成装置の外観を示す斜視図である。
【図２】画像形成装置の概略構成を示す断面図である。
【図３】ＩＣチップ付き用紙を示す説明図である。
【図４】画像形成装置の印刷動作を示す説明図である。
【図５】画像形成装置のコピー動作を示す説明図である。
【図６】コピー結果の例を示す説明図である。
【図７】コピー結果の例を示す説明図である。
【図８】画像形成装置の可読化印刷動作を示す説明図である。
【図９】画像形成装置の動作を示すフローチャート図である。
【図１０】画像形成装置の印刷処理を示すフローチャート図である。
【図１１】画像形成装置のコピー処理を示すフローチャート図である。
【符号の説明】
１  画像形成装置
１７，１８  リーダ／ライタ（原稿情報読出手段，印刷媒体判別手段）
２１  イメージングユニット（画像形成エンジン）
２４  コントローラ（記録内容決定手段，親展判別手段，パスワード要求手段）
【図１】
2005028673.tif 000003
【図２】
2005028673.tif 000004
【図３】
2005028673.tif 000005
【図４】
2005028673.tif 000006
【図５】
2005028673.tif 000007
【図６】
2005028673.tif 000008
【図７】
2005028673.tif 000009
【図８】
2005028673.tif 000010
【図９】
2005028673.tif 000011
【図１０】
2005028673.tif 000012
【図１１】
2005028673.tif 000013